Podtech/llm-jp-corpus-v4-ja_patent huggingface dataset:
(57)【要約】      （修正有）【要約書】【課題】  箸をテーブルなどの平面に置いた場合に箸の先が着いてしまうという不都合と、物を挟んだとき滑り防止（併せて、洗ったとき汚れが落ちにくいこと）を解決すること。【解決手段】  柄の中央からやや前の側面の一部に突起1と、柄の先に螺旋条の溝をつけた。柄の側面の突起を接する面として置くことにより、箸の先が平面に接することを防止でき、箸を置く人が特に箸の置き方に注意する必要がない。また螺旋状の溝にしたことで食べ物を挟んだとき滑りを防止し、併せて、洗ったとき汚れを落ち易くした。【選択図】図１
2007000565.tif 000002
【特許請求の範囲】
【請求項１】
柄の中央からやや前に突起を設けた事を特徴とする箸。
【請求項２】
箸の先に螺旋条の溝を設けた事を特徴とする箸。
【発明の詳細な説明】
【技術分野】
【１】  本発明は、箸に関するものであり、箸の柄の形状に工夫を加える事によって、箸の先が接触しないように、また、挟んだとき滑り防止と、併せて、洗ったとき汚れを落ち易くしたものである。
［背景技術］
［発明の開示］
［発明が解決しようとする課題］【２】  従来のような箸の柄では、平面に置いた場合に、箸の先が着いてしまい、非常に不衛生的である。また、物を挟んだとき滑りやすい。（箸の先に横溝のものは洗ったとき汚れが落ちにくい。）
（図２・３参照）。本発明は、このような、箸を平面に置いた場合に箸の先が着いてしまうという不都合と、滑り防止。（併せて、洗ったとき汚れが落ちにくい不都合）を解決することを課題とする。
［課題を解決するための手段］【３】  この課題を解決するための請求項１の発明は、柄の側面の一部に突起を設けたことを特徴とする、接触防止箸である。机などの平面に、この柄の側面の突起を接する面として置くことにより、箸の先が平面に接することを防止でき、箸を置く人が特に箸の置き方に意識する必要がない。【４】  また、請求項２の発明は、柄の先に、螺旋条の溝をつけたことを特徴とする、滑り防止箸である。螺旋条の溝にしたことで食べ物を挟んだとき滑りを防止し、併せて、洗ったとき汚れを落ち易くしたものである。
［発明の効果］【５】  本発明により、箸を平面に置いた場合に先が着いてしまうという不都合はおきず、また、箸の先に螺旋条の溝を設けることにより、食物を挟んだときの滑り防止と、洗ったときの汚れを落ち易くした。
［発明を実施すための最良の形態］【６】  図１は、先が接触しない箸の側面図である。同図に示すように、箸の側面に設けた突起により、箸の先が接触防止できる。【７】  図２は、柄の先に螺旋条の溝をつけた断面図である。同図に示すように、箸の側面に螺旋条の溝を設けることにより、滑り防止できる。また、従来のような横に溝をつけた箸では洗ったとき汚れが落ちにくく、螺旋条の溝をつけたことで汚れが落ち易くなる。【８】  これらの箸の材料は、木材などの通常のものでよい。又，箸の柄の断面は四角形でよい。
［産業上の利用可能性］【９】  本発明に係る箸は、工業的に量産する事が可能であるため、産業上の利用可能性を有する。
【図面の簡単な説明】
【１０】
【図１】  柄の側面の一部に突起を設けた先が接触しない箸の断面図である。
【図２】  柄の先に螺旋条の溝をつけ滑り防止、（併せて洗ったとき汚れを落ち易くした）箸の側面図である。
【図３】  従来の柄に突起のない、螺旋の溝の無い箸の側面図である。
【符号の説明】
【１１】  １    柄の側面の一部に突起を設けた、先が接触防止箸
２    柄の先に螺旋条の溝をつけ、滑り防止（併せて、汚れを落ちやすくした）箸
３    従来の柄の側面に突起もなく、螺旋条の溝の無い平らな箸
４    机などの平面
【図１】
2007000565.tif 000003
【図２】
2007000565.tif 000004
【図３】
2007000565.tif 000005
(57)【要約】【課題】従来の紙コップは軽い紙の素材のため、特に子供や高齢者などが使用する場合、置き場所によって安定性に難点がある特に野外や乗り物などで使用する場合転倒する事が多い【解決手段】課題で述べた従来の神コップに補助足板を貼付け４本の補助足によりどの様な場所でも安定した使用ができる。【選択図】  図２
2007000563.tif 000002
【特許請求の範囲】
【請求項１】
紙コップの側面下部に補助足板を対面２箇所に貼付け固定する。
飲み物を入れて使用する際、貼付け固定した補助足板の折り線の部分から外側に広げる、これにより４本の補助足となる。
【請求項２】
補助足板の折り線の部分をミシン目にする事で広げた補助足板を安定した位置に確保することが出来る
【請求項３】
補助足板の折り線から外側に広げた部分の上部折り線を横に折り返す事で４本の補助足がさらに固定し安定する。
【請求項４】
補助足板の外側に広げた部分の底部に三角形の切り込みを入れて、これを利用して積み重ねる事が出来る。
【発明の詳細な説明】
【技術分野】
【０００１】本発明は安定性のある紙コップに関する。
【発明の開示】
【発明が解決しょうとす課題】
【０００２】従来の紙コップは軽量のため野外や乗り物等において使用する場合安定がわるいため転倒して飲み物がこぼれる
【０００３】本発明はこのような従来の構成が有していた問題を解決しようとするものであり、紙コップがいかに安定して転倒しないかを実現することを目的とするものである。
【課題を解決するための手段】
【０００４】紙コップの側面下部に補助足板を対面２枚貼付け固定する。
貼付け固定した補助足板のミシン目の部分より外側に広げると正４角形の補助足が形成され安定したものとなる。
【図面の簡単な説明】
【０００５】
【図１】  図１の形態の物を紙コップの側面下部左右に貼付け固定する
【図２】  図２が補助足付紙コップの基本形態になる
【図１】
2007000563.tif 000003
【図２】
2007000563.tif 000004
(57)【要約】      （修正有）【課題】日頃誰もがおこなう「歩く」「座る」「寝る」という動作を行いながら、意識することなく自然に足指刺激を実行できる。歩く際に良いとされる「大地を掴むように歩く」ことが自然に出来てしまい、且つ気持ちよさを得られる。カートリッジに香料、防臭剤、薬剤、カイロなどを内包することにより高機能を有し、足指裏の刺激のみならない付加価値を持つ。【解決手段】足指裏に収まる本体及びカートリッジを作成し、伸縮性の有るストラップと組み合わせ、簡便な装着を実現した。【選択図】図１
2007000567.tif 000002
【特許請求の範囲】
【請求項１】
簡便に足指による捕握が可能である本体部とストラップ部により構成されており、本体素材、形状及び内包物に機能と付加価値を有する。
ストラップ部には装着感のないもの、装飾性の強いものいずれも装飾性や本体部との着脱の可否は問わないが、取り外しができるものは連結部を規格化し適合を求める。
【発明の詳細な説明】
【技術分野】
【０００１】本発明は、足指で握り締める刺激により、どのような状況でも気軽に快適を享受する事のできるものである。
【背景技術】
【０００２】今までに簡便且つ多機能多様性を誇り、いつでもどこでも使用可能な足指を刺激する商品はなかった。
【発明の開示】
【発明が解決しようとする課題】
【０００３】日頃誰もがおこなう「歩く」「座る」「寝る」という動作を行いながら、意識することなく自然に足指刺激を実行できる。歩く際に良いとされる「大地を掴むように歩く」ことが自然に出来てしまい、且つ気持ちよさを得られる。
【課題を解決するための手段】
【０００４】足指の裏面に、指で掴める形状のものを装着し、歩く際に自然と刺激が発生するようにした。
また歩かなくても、足指で握ることにより刺激が得られる。
【発明の効果】
【０００５】足裏を刺激すると気持ちよいが、仕事中や通勤中にそれを享受することは難しい。しかしこれを足指の中という空間で握り込ませることでスペースを容易に確保できるのでいつでも使用することができ、他の行動にも支障を与えない。また、内包物を持たせることにより、消臭、芳香、脱臭、制汗などの高機能価値をもたせることができる。
本体の形状も筒状、数珠状、ゲル状など掴めるものなら可。
【発明を実施するための最良の形態】
【０００６】主に本体部とそれを装着するストラップ部に分かれる
【実施例】
【０００７】本人及び関係者にて実践中
【産業上の利用可能性】
【０００８】シューズ売り場や健康グッズ売り場のみならず、カートリッジに薬効成分、ストラップにファッション性を持たせることにより
製薬メーカー      水虫薬、足の臭い消し、酸化鉄
化粧品メーカー    脱臭、制汗、潤い保持
生活用品          消臭、芳香
アクセサリー      ファッション性
スポーツ用品      足に力を込め易い、フットケア
などの産業への展開が見込まれる。
【図面の簡単な説明】
【０００９】
【図１】本発明の足の裏から見た図です
【図２】本発明の足の横から見た図です
【符号の説明】
【００１０】１  本体
２  ストラップ（足指タイプ）
３  ストラップ（アンクルタイプ）
４  内包物（カートリッジ）
【図１】
2007000567.tif 000003
【図２】
2007000567.tif 000004
【図３】
2007000567.tif 000005
【手続補正書】
【提出日】平成18年2月7日(2006.2.7)
【手続補正１】
【補正対象書類名】明細書
【補正対象項目名】０００９
【補正方法】変更
【補正の内容】
【０００９】
【図１】本発明の足の裏から見た図です
【図２】本発明の足の裏から見た図です
【図３】本体（カートリッジ及び内包物）
(57)【要約】      （修正有）【課題】トイレットペーパーの切断を容易にするため、常にトイレットペーパーの先端がカバーから露出する手段を提供する。【解決手段】トイレットペーパの先端から見てＵ字形になるようにトイレットペーパの紙面上に切り込みを入れたものである。通常、カバー１の内に入っているトイレットペーパの先端２を常時、カバー１の外にＵ字形の小片４として出したもので、イ−ロ間で通常通りに切った場合、Ｕ字形の小片４はカバー１の外側に常に出ていることになり、Ｕ字形の小片４を引っ張ればロールが回転しトイレットペーパが使用できる。【選択図】図１
2007000593.tif 000002
【特許請求の範囲】
【請求項１】
トイレットペーパの先端方向（３）から見て、Ｕ字形に見えるようにトイレットペーパの紙面上にＵ字形の切断部分を設けた
Ｕ字形の切り込みを設けたトイレットペーパ
【発明の詳細な説明】
【発明の詳細な説明】
０００１
［発明の属する技術分野］この発明は、トイレットペーパに関するものである。
０００２
［従来の技術］従来、トイレットペーパはカバー（１）で押えて切断していた。
従って、トイレットペーパの先端（２）はカバー（１）の内側に入っていた。
０００３
［特許文献］
０００４
［発明の解決しようとする課題］
トイレットペーパを使用しようとする時は、次の問題点があった。
トイレットペーパはカバー（１）で切断していたので、当然トイレットペーパの先端（２）は、カバー（１）の外側からは見えていなかった。従って、トイレットペーパを使用する時は、トイレットペーパを回すか又はカバー（１）を持ち上げるかしてトイレットペーパの先端（２）を引き出してから使用していた。
従って使用時においてトイレットペーパの先端（２）を常にカバー（１）の外側に出しておき、使用時の利便性を確保しようとするものである。本発明は、以上の問題点を解決するようになされたものである。
０００５
［課題を解決する手段］
トイレットペーパの先端方向（３）から見て、Ｕ字形に見える様にトイレットペーパ紙面上にＵ字形の切断部分を設ける。使用時においてイ−ロ間で切った場合、Ｕ字形の小片（４）はカバー（１）の外側に常に出ている。
本発明は以上の構成よりなるトイレットペーパである。
０００６
［発明の実施形態］
以下本発明の実施の形態を説明する。
（イ）トイレットペーパの先端方向（３）から見て、Ｕ字形に見える様にトイレットペーパ紙面上にＵ字形の切断部分を設ける。
（ロ）切断面はＶ字形でもハート形等でも良い。
（ハ）Ｕ字形の小片の数ヶ所をトイレットペーパの紙面上につなげておいても良い。
本発明は、以上の構成よりなる。
０００７
［発明の効果］
本発明の効果は、トイレットペーパの使用時において、Ｕ字形の小片（４）がカバー（１）より常に出ているため、Ｕ字形の小片（４）をそのまま引っ張ればトイレットペーパのロールが回転し、使用することができる。利便性の向上を図ることができる。
又、Ｕ字形の小片（４）は前もって切断されているので、見た目にもきれいである。
【図１】
2007000593.tif 000003
【手続補正書】
【提出日】平成17年9月12日(2005.9.12)
【手続補正１】
【補正対象書類名】明細書
【補正対象項目名】全文
【補正方法】変更
【補正の内容】
【発明の詳細な説明】
【技術分野】
【０００１】この発明は、トイレット紙にＵ字形の切断部分を設けた、トイレットペーパに関するものである。
【背景技術】
【０００２】従来、図面中イ−ロ間を、破線による切り込みを入れたトイレットペーパがあった。
【発明が解決しようとする課題】
【０００３】これは、次の様な欠点があった。
（イ）使用時において、トイレットペーパ紙は、カバー（１）で押えて切断するので、トイレットペーパの先端（２）は、カバー（１）の内側に常に位置している。従って、カバー（１）を持ち上げるか、又は、ロールを回すかしてトイレットペーパの先端（２）をカバー（１）の外側に出してから使用せざるを得ず、即使用性、利便性の面において欠けていた。
（ロ）従来の破線による切り込みを入れたトイレットペーパは、カバー（１）で押えて切断することが多く、又、引っ張っても破線のところで切れない場合もあり、破線のないトイレットペーパと結果的に差異がほとんどないものとなっていた。
本発明は、以上の欠点を除くためになされたものである。
【課題を解決するための手段】
【０００４】トイレットペーパの先端方向（３）から見て、Ｕ字形に見えるように、トイレットペーパ上に、Ｕ字形の切断部分を設ける。
本発明は、以上の構成よりなるトイレットペーパである。
【発明の効果】
【０００５】使用時においては、図面中イ−ロ間で切断して使用した場合、Ｕ字形の小片（４）は、カバー（１）の外側に常に出ていることになり、即使用性、利便性の向上が計られる。
なお、切断面は、Ｖ字形でもハート形等でも良くトイレットペーパの側面に位置しても良い。また、切断面は、数ヶ所トイレットペーパにつながっておいても良い。
【発明を実施するための最良の形態】
【０００６】（イ）トイレットペーパの先端方向（３）から見て、Ｕ字形に見えるようにトイレットペーパ上にＵ字形の切断部分を設ける。
（ロ）図面中、イ−ロ間で切断して使用する。
（ハ）Ｕ字形の小片（４）が、常にカバー（１）の外側に出ている状態での使用が可能となる。
【図面の簡単な説明】
【０００７】
【図１】本発明の針視図である。
【符号の説明】
【０００８】１  トイレットカバー
２  トイレットペーパの先端
３  トイレットペーパの先端方向
４  Ｕ字形の小片
(57)【要約】      （修正有）【課題】高台付きの食器が洗浄後底に水が溜まってしまい、面倒で衛生上も問題とされる。通常斜めに置かれても、水は完全に切れない。従来の椀の水切りは、外形上違和感を与える。水切りがよく、デザインも美しい、更に持ちやすい食器を提供する。【解決手段】高台を波形水きり２にし、波の山４を３つとし、波の谷３の高さは零にする。【選択図】図１
2007000591.tif 000002
【特許請求の範囲】
【請求項１】
高台付きの食器の波形水切り。
【請求項２】
高台付きすべての形の食器の波形水切り。
【請求項３】
高台付きすべての素材の食器の波形水切り。
【発明の詳細な説明】
【技術分野】
【０００１】  本発明は、  椀、碗、カップなど水平底に高台（碗や椀の底の部分）付きの食器が、洗浄後水切りがよく、見た目が美しい、持ちやすい３つの特徴を持つ食器底の水切りに関するものである。
【背景技術】
【０００２】    高台付きの食器が、洗浄後底に水が溜まってしまい、面倒で衛生上も問題とされている。近年市場の食器洗い機や、食器洗い乾燥機は、皿類と碗類が立に置かれて、水が切れるようになった。コップ類の置き場は、斜めに作られたものもあるが、水は一部切れる。
従来椀の高台の水切りが２件なされている（特許文献１、特許文献２参照）。
【特許文献１】登録実用新案第３０１１５４０号公報
【特許文献２】特許公開２００４−３１３２７８
【発明の開示】
【発明が解決しようとする課題】
【０００３】  高台付きの食器が、洗浄後逆さに、又は洗浄中や洗浄後斜めに置かれても、水は完全に切れない。
特許文献１と特許文献２の椀の水切りは、２件共溝や切欠きのもので、機能性の目的が強いため、外見上違和感を与える
本発明は、これらの問題点を解決するためになされたものである。
【課題を解決するための手段】
【０００４】    高台付きすべての形の食器且つ高台付きすべての素材の食器に、高台の替わりに波形の高台を水きりにし、３つの波で、波の谷の高さは零にする。
本発明は、以上の構成よりなる高台付きの食器が、洗浄後水切りがよく、見た目が美しい、持ちやすい３つの特徴を持つ食器底の波型水切りである。
【発明の効果】
【０００５】  本発明を使用すると、洗浄後どんな場所に置かれても、どんな食洗機で洗っても、水切りがよく、見た目が美しい、且つ持ちやすく、熱い飲み物や、汁物にも役立つものである。
【発明を実施するための最良の形態】
【０００６】  以下、本発明の実施の形態を説明する。
（１）の替わりに（２）を水きりにし、３つの波で、（３）の高さは零にする。
水切りを波の曲線にすることによって、水の流れは、溝や切り欠き部からより速い、デザンも美しいため、機能性が目立たなくなる。（１）で持つときは持ちやすい。特に熱い飲み物や、汁物にはもっと役に立つ。
（３）が３つで、底の水が流れやすい最低のカ所数。（４）が３つで、底面に３点で支える最小の安定数。
波の数を３つに止めることは、波の曲線が緩やかで、最も美しく見える。
本発明は、以上の構成からなるので本発明を使用する場合、（１）付き且つ底面が窪みなく、水平底の食器に対象。本発明を使用する時は、食洗機での洗浄など斜めに置かれた場合、（３）の１つを真下に向くこと。（１）で持つときは、中指で（３）に当てること。
【図面の簡単な説明】
【０００７】
【図１】本発明の斜視図
【図２】本発明の斜視図
【図３】本発明の要部１周拡大正面図
【符号の説明】
【０００８】  （１）高台、（２）波形水切り、（３）波の谷、（４）波の山
【図１】
2007000591.tif 000003
【図２】
2007000591.tif 000004
【図３】
2007000591.tif 000005
(57)【要約】      （修正有）【課題】  災害時、床下浸水した水を汲み出す場合、従来の円形のバケツでは１回のくみ出し量が少ない問題点がある。  また、火事初期消火時などの場合にも、水位が低いＵ字用水路の水を汲み取りやすい構造にしたバケツを提供する。  特に防災バケツとして小学校、中学校等の常備用バケツとして適している。【解決手段】  バケツ本体側面の一部分１を平面構造にしたことにより、円形バケツと比較して１回に多量の水をくみ取ることができる。【選択図】  図３
2007000577.tif 000002
【特許請求の範囲】
【請求項１】
バケツ本体側面の一部分を平面にした。
【発明の詳細な説明】
【技術分野】
【０００１】  本発明はバケツ本体側面の一部分  図１−１・図２−１・図３−１・図４−１・図５−１を平面にした。
〔背景技術〕【０００２】〔発明の開示〕
〔発明が解決しようとする課題〕【０００３】  災害で床下浸水した水を汲み出す場合、現在の円形バケツでは一回のくみ出し量が少ない。【０００４】  火事で水位の低い用水路の水を汲み取る場合、現在の円形バケツでは一回の汲み取り量が少ない。【０００５】  田畑の農作物に水を与える場合、水位の低い用水路の水を汲み取る場合、現在の円形バケツでは一回の汲み取り量が少ない。
〔課題を解決するための手段〕【０００６】  本発明は課題を解決するためにバケツ本体側面の一部分  図１−１・図２−１・図３−１・図４−１・図５−１を平面にした。
〔発明の効果〕【０００７】  床が平面で図４−Ａ・図５−Ａの水位の水を図５−Ｂ方向にすくい上げて汲み取り、図２−２円形バケツと本発明バケツ本体側面一部分平面バケツ図４−２を比較すると本発明図４−１の一部分平面構造にしたバケツの方が多量の水を汲み取ることができる。【０００８】  火事のとき、初期消火にバケツで水をかけるとき、円形バケツと比較して本発明一部分平面バケツは水を汲み取りやすく、火元にかけた水が幅広く拡散し消火効力が大きい。よって小学校、中学校等の初期消火用常備バケツとして適している。【０００９】  水不足時に農耕地の野菜に水を与える際、本発明一部分平面バケツは水量の少ない用水路の水を汲み取りやすく、水をかけるとき幅広い範囲に板状の軟らかい水をかけることができる。
【図面の簡単な説明】
【００１０】
【図１】平面図
【図２】正面図
【図３】側面図
【図４】水位Ａに対して円形バケツと本発明一部分平面バケツの比較説明用図
【図５】水位Ａに対して本発明一部分平面バケツの水汲み取り説明用図
【符号の説明】
【００１１】  １      本発明バケツ本体側面一部分平面である部分
２      本発明バケツ本体側面
２−２  円形バケツ本体側面
３      本発明バケツ本体底
３−２  円形バケツ本体底
４      本発明バケツ取っ手
４−２  円形バケツ取っ手
５      Ｕ字水路
Ａ      床が平面である場所での水位
Ｂ      水を汲み取る方向
【図１】
2007000577.tif 000003
【図２】
2007000577.tif 000004
【図３】
2007000577.tif 000005
【図４】
2007000577.tif 000006
【図５】
2007000577.tif 000007
(57)【要約】【課題】プラスチック製ハンガーピンチの上部にワイヤーを通しピンチを交差させて中心に芯棒つけた機能を持たせる。【解決手段】ピンチ上部にワイヤー１を通しプラスチック２を交差させピンチの中心に芯棒３を通す事で、重力により落ちようとする力を利用し、同時にテコの原理で洗濯物を強力にロックすること、また、ピンチ同士の絡まり、ピンチのずれ、ピンチの外れを防止することが出来ることを特徴とする。【選択図】      図１
2007000575.tif 000002
【特許請求の範囲】
【請求項１】
ピンチのプラスチックを交差させピンチの中心に芯棒を通すことで、重力により落ちようとする力を利用し、同時にテコの原理で洗濯物を強力にロックすることが出来き、ピンチのずれ防止を特徴とした成型ハンガーピンチ。
【請求項２】
ピンチ上部の二点にワイヤーを通して、ピンチ同士の絡まり、外れを防止したことを特徴とした成型ハンガーピンチ。
【発明の詳細な説明】
【技術分野】
【０００１】本発明は、一般家庭における、プラスチック製成型ハンガーピンチに関する。
【背景技術】
【０００２】従来、ハンガーピンチはプラスチックにバネの力とクサリで吊り下げただけのものである。
【発明の開示】
【発明が解決しようとする課題】
【０００３】従来技術に係るハンガーピンチは、プラスチックにバネの力だけで押さえている為、重いものを干して強い風が吹くと落ちてしまうことがある。【０００４】また、ピンチの上部にクサリで両方に吊るすと開いてしまう可能性がある為、片方にしか吊り下げておらず、ハンガーを畳んで収納し、再び使用するときにピンチ同士が絡んでしまい、複雑に絡まったピンチを取り除くのに面倒で時間がかかり大変である。【０００５】さらに、複雑に絡まったピンチを取り除いている間に、ピンチの構造がクサリとバネの為、取れたりずれてしまうことがある。【０００６】本発明は、このような点に鑑みて成されたものであり、その目的は干し物の落下、ピンチの絡まり、及びピンチのずれ、外れを防止することができるようにしたものである。
【課題を解決するための手段】
【０００７】上述の目的を達成する本発明は、ピンチ上部にワイヤーを通しプラスチックを交差させピンチの中心に芯棒を通す事で、重力により落ちようとする力を利用し、同時にテコの原理で洗濯物を強力にロックすること、また、ピンチ同士の絡まり、ピンチのずれ、ピンチの外れを防止することが出来ることを特徴とする。
【発明の効果】
【０００８】以上説明したように本発明では、成型ハンガーピンチのプラスチックを交差させ中心に芯棒を通し、ピンチ上部にワイヤーを通すことで落ちようとする力が、加われば加わるほど洗濯物を強力にロックでき、外すときにはピンチ上部を広げれば簡単に外れ、また、ピンチ上部の両方にワイヤーを通すことで、ハンガーを畳んで収納し、再び使用するときにピンチ同士の絡み及びずれ、外れ防止を合わせ持つ機能にした。
【発明を実施するための最良の形態】
【０００９】以下、本発明の実施の形態を図面に基づき詳細に説明する。【００１０】図１〜図２は、本発明の実施の形態に係り、図１はその外観正面図図２はその横図面である。【００１１】図１、図２に示すように本成型ハンガーピンチをワイヤーで吊り下げピンチ上部を広げ洗濯物を挟み込みピンチを閉じて使用し、取り外すときにはピンチ上部を広げて、取り外す。
【産業上の利用可能性】
【００１２】本発明は一般家庭における家庭用成型ハンガーピンチを製造、販売する産業分野で利用することができる。
【図面の簡単な説明】
【００１３】
【図１】本発明の実施の形態に係る成型ハンガーピンチ外観正面図である。
【図２】成型ハンガーピンチの外観横図面である。
【符号の説明】
【００１４】１      ワイヤー
２      プラスチック
３      芯棒
【図１】
2007000575.tif 000003
【図２】
2007000575.tif 000004
(57)【要約】【課題】この発明は、従来のマッサ−ジによる施術が長い経験を必要とするのに比べて短時間で修得できる。【解決手段】この発明は、通常のベッドの上にセラミックボ−ルを敷き詰め、そこに人が横たわるだけで、マッサ−ジを受けたと同様の効果を享受できるものであり、施術者が特別な技能を持つ必要がない。【選択図】図１
2007000574.tif 000002
【特許請求の範囲】
【請求項１】
直系約５センチメ−トルのセラミックボ−ルを通常のベッドに敷き詰め、心身に疲労や不安を持つ人に、その上に横たわってもらう。
心身がリフレッシュし、縮んだ筋肉が伸び、血液の流れがスム−ズになり精神的緊張がほぐれて心身ともに快適な状態になる。
【発明の詳細な説明】
【技術分野】
【０００１】本発明は、多数のセラミックボ−ルを使用してベッドに上に敷き並べ、其のうえに横たわることによって人体の血流を促進し、心身をリラックスさせ、疲れを取り除き、心身をリフレッシュさせ、従来のマッサ−ジを施されたと同一の効果を得るものである。
【背景技術】
【０００２】従来の技術は、マッサ−ジの施術者が手、指等を使用して身体の筋肉痛等を取り除くものである。
【発明が解決しようとする課題】
【０００３】従来のマッサ−ジは、手や指を用いるために、その施術方法を修得するに長時間の訓練を必要としている。
【課題を解決するための手段】
【０００４】本発明によれば、セラミックボ−ルを使用したベットの上によこたわるだけでその成果が発生するので、施術者の経験年数等による個人差が発生しない。
【発明を実施するための最良の形態】
【０００５】セラミックボ−ルは、１ベッドあたり原則として１０８個を敷き並べる。
そのうえに横たわる時間は、３０分から１時間が平均的時間といえる。
【発明の効果】
【０００６】血行が促進され、筋肉痛は取り除かれ、精神的ストレスが取り除かれてリラックスした状態になる。
【図面の簡単な説明】
【０００７】
【図１】セラミックボ−ルがベッドに敷き詰められた様子
【図２】人が横たわった状態
【符号の説明】
【０００８】１は、セラミックで作られたボ−ル。大きさは直系約５センチメ−トル
【図１】
2007000574.tif 000003
【図２】
2007000574.tif 000004
(57)【要約】【課題】  香りを含んだ封入材を剥離紙の付いた支持体とラミネートフィルムで密閉し、使用する時、剥離紙を剥がすと、香りが漂う香り封入ラベルを提供する。【解決手段】  香りの封入材（１）を剥離紙（４）の付いた支持体（２）の上に置きラミネートフィルム（３）で密閉した事を特徴とする。【選択図】  図１
2007000576.tif 000002
【特許請求の範囲】
【請求項１】
香りの封入材（１）を剥離紙（４）の付いた支持体（２）の上に置きラミネートフィルム（３）で密閉したことを特徴とする。
【発明の詳細な説明】
【発明の詳細な説明】
【技術分野】
【０００１】この発明は、香りを含んだ封入材（１）を剥離紙（４）の付いた支持体（２）とラミネートフィルム（３）で密閉し、使用する時、剥離紙（４）を剥がすと香りが漂う、ことに関するものである。
【背景技術】
【０００２】従来より香りを体の部位につけたり、体に噴霧して使用していたため、香りが必要以上に漂ったりして困る事があった。香りを遮断する事ができなかった。
【発明が解決しようとする課題】
【０００３】これは次のような欠点があった。
（イ）香りを必要とする時、体の部位に少量の香水を付けたりしていた。
（ロ）香りを必要とする時、香りを体の部位に噴霧していた。
（ハ）容器に入った香りを置いて、室内を香りで漂わせていた。
いろいろな香りを、好きなときに漂わせたり、遮断する事ができなかった。
本発明は、以上の欠点を解決するためになされたものである。
【課題を解決するための手段】
【０００４】香りを含んだ封入材（１）を剥離紙（４）の付いた支持体（２）とラミネートフィルム（３）で封入し、使用する時、剥離紙（４）を剥がすと同時に支持体の一部が剥離紙について支持体の加工部穴から香りが漂う。
本発明は、以上の構成よりなる香り封入ラベルである。
【発明を実施するための最良の形態】
【０００５】以下発明の実施の形態を説明する。
（イ）香りをしみこませた封入材（１）を加工した支持体（２）の上に乗せラミネートフィルム（３）で、香りを含ませた封入材（１）を密閉するように支持体（２）とサンドする。
本発明は、以上の構成よりなっている。
本発明を使用するときは、剥離紙（４）を剥がす事により、支持体の中心部の加工した部分が同時に剥離紙（４）に付いてくるため支持体の加工穴部より封入材に含まれた香りが漂う。
【発明の効果】
【０００６】本発明を使用することによって、香りを簡単に携帯もでき、好きな香りを襟の下とか、ポケットの内側に貼ることにより香りを漂わせる事もでき、香りを瞬時に取り除く事もできる。又どんな場所にも貼ることができるため、香りを簡単に楽しむ事ができる。最近では、香りが仕事の効率をよくしたり、リラクゼイションに使われたりして、多目的に色々な香りを、使用するため、香りを簡単に遮断することが必要である。
【図面の簡単な説明】
【図１】本発明の斜視図
【図２】本発明の使用するときの斜視図
【図３】本発明の分解図
【符号の説明】
１  封入材
２  支持体
３  ラミネートフィルム
４  剥離紙
【図１】
2007000576.tif 000003
【図２】
2007000576.tif 000004
【図３】
2007000576.tif 000005
(57)【要約】【課題】フライパンに取り外し可能な仕切り板をつけた、仕切りつきフライパンを提供する。【解決手段】フライパンに取り外し可能な仕切り板を二枚付け、仕切り板の向こうへ油などが流れない為の数ミリの溝を設け、フライパンの四隅に仕切り板をはさむくぼみがついている仕切りつきフライパン。【選択図】図３
2007000589.tif 000002
【特許請求の範囲】
【請求項１】
フライパンに取り外し可能な仕切り板を二枚付け、仕切り板の向こうへ油などが流れない為の数ミリの溝を設け、フライパンの四隅に仕切り板をはさむくぼみがついている仕切りつきフライパン。
【発明の詳細な説明】
【技術分野】
【０００１】  本発明は、フライパンに取り外し可能な仕切り板をつけた、仕切りつきフライパンに関するものである。
【背景技術】
【０００２】  従来、大きさ別、用途別、仕切りつきなどのフライパンがあった。
【発明の開示】
【発明が解決しようとする課題】
【０００３】  これは次のような欠点があった。
（イ）弁当を作る時、複数のフライパンを使ったり、一つのものを作っては洗いなおしてまた使うという手間があった。
（ロ）一つのフライパンで一度に作ると、味が混ざってしまい、それぞれを違う味付けにするのが困難だった。
（ハ）仕切りつきのフライパンを使った場合は、従来のフライパンの他にこれを持たねばならず、収納に困る。又、洗う際仕切りの隅が洗いづらく汚れが落としにくかった。
本発明は以上の問題点を解決する為になされたものである。
【課題を解決するための手段】
【０００４】  フライパンに取り外し可能な仕切り板を二枚付け、仕切り板の向こうへ油などが流れない為の数ミリの溝を設け、フライパンの四隅に仕切り板をはさむくぼみがついている。以上を特徴とする仕切りつきフライパンである。
【発明の効果】
【０００５】  数種類のものを混ざらずに調理する事ができ、一度に作れるので時間の短縮、又、いくつもフライパンを使わないでよいので、洗い物の手間が省ける。
仕切り板を取れば普通のフライパンとして使用できるので、フライパンをいくつも持つ必要がなく、経済的である。
一人暮らしや、少人数の家庭などメイン料理の付け合せも同時に調理でき、温かい状態で提供できるので、大変便利である。
【発明を実施する為の最良の形態】
【０００６】以下、本発明の実施の形態を説明する。
（イ）フライパン（Ａ）の縁に四等分にした仕切り板（１）（２）を挟むためのくぼみ（５）を設ける。
（ロ）フライパンの底部には、くぼみ（５）に対応したと数ミリの凹溝（３）を設ける。この溝（３）は、後述する仕切り板（１）（２）が倒れないためと区分けした部屋（Ｂ）の油などの流れ止めを図るためである。
（ハ）長方形状の仕切り板（１）（２）の中央部に、くぼみ（５）にはめるための切り込み溝（６）とさえ箸を入れる穴（４）を複数設ける。
本発明は以上の構成からなるもので、以下、使用法について説明する。
（イ）二種類のおかずをつくりたい場合やひとまず別々に調理したい場合は、フライパンの中に二分割させる為の取り外し可能な仕切り板（１）をくぼみ（５）にはめる。
（ロ）四種類のおかずを作りたい場合は、さらにフライパンの中に四分割させる為の取り外し可能な仕切り板（２）を仕切り板（１）の切り込み溝に対応させさらにくぼみ（５）にはめる。
（ハ）料理中に仕切り板を取り外したい場合は、仕切り板に開いている穴に、さえ箸などを入れて取り外す。
これを使用すると、分割された各面でそれぞれのおかずを調理できる。又、仕切り板をつけず普通のフライパンとして使用しても良い。
【図面の簡単な説明】
【０００７】
【図１】本発明の平面図
【図２】本発明の仕切り板の正面図
【図３】本発明の使用状態を示す斜視図
【符号の説明】
【０００８】  （１）仕切り板
（２）仕切り板
（３）凹溝
（４）さえ箸などが入る穴
（５）くぼみ
（６）切り込み溝
（Ａ）フライパン
（Ｂ）部屋
【図１】
2007000589.tif 000003
【図２】
2007000589.tif 000004
【図３】
2007000589.tif 000005
(57)【要約】【課題】ゆで卵のみじん切りを簡単かつ安全に作る事が出来るゆで卵みじん切り機を提供する。【解決手段】柄部の下部に固定軸を介して、数条の刃を設けた事を特徴とする、ゆで卵みじん切り機。【選択図】  図１
2007000586.tif 000002
【特許請求の範囲】
【請求項１】
柄部の下部に固定軸を介して、数条の刃を設けた事を特徴とする、ゆで卵みじん切り機。
【発明の詳細な説明】
【技術分類】
【０００１】  本発明は、ゆで卵のみじん切りを包丁を使わずに簡単に作れるようにする為の、ゆで卵みじん切り機に関するものである。
【背景技術】
【０００２】  従来は、ゆで卵のみじん切りを作るときは、まな板の上で包丁で細かく刻み、みじん切りを作っていた。
【発明の開示】
【発明が解決しようとする課題】
【０００３】  その為に次の様な問題点があった。
ゆで卵が安定感が無いので包丁で細かく刻むのには手間がかかり、みじん切りにするまでに、まな板にゆで卵の黄身がこびり付いて散乱し汚れやすく作りづらかった。
本発明は以上の問題点を解決するためになされたものである。
【課題を解決するための手段】
【０００４】  フォークの背でゆで卵を刻むイメージで持ち手部分を９０度に曲げ、持ち易く扱い易い形に改良した事を特徴とする、ゆで卵みじん切り機である。
【発明の効果】
【０００５】  包丁でゆで卵をみじん切りに刻むよりも時間が短縮され又、キメが細かく滑らかに作れ、お子さんなどにも刃物ではないので安全に使う事が出来る。
【発明を実施するための最良の形態】
【０００６】  以下、本発明の実施の形態について説明する。
柄部（１）の下部に固定軸（３）を介して数条の刃（２）を設ける。
本発明は、以上のような構造で、これを使用する時は、柄部（１）を手で握り、刃（２）の背の部分を、ゆで卵（４）に押し当て刻んでいく。何度かこの動作を繰り返している内に細かく滑らかな、ゆで卵のみじん切りが出来上がる。
【図面の簡単な説明】
【０００７】
【図１】本発明の斜視図
【図２】本発明の使用状態を示す側面図
【符号の説明】
【０００８】    １  柄部
２  刃
３  固定軸
４  ゆで卵
【図１】
2007000586.tif 000003
【図２】
2007000586.tif 000004
(57)【要約】      （修正有）【課題】  本発明は、郵便物を取るときに簡易操作で郵便物が取れる郵便受けを提供する。【解決手段】郵便物を受けるための前部開口部１２と郵便物を取り出すための上部開口部１１を有する容器本体１と、当該容器本体１を前方に傾倒できるように軸支した支持部３と、上記容器本体１の上部開口部１１を開閉可能に前記支持部３に軸支された蓋部４と、当該蓋部４を上方に回動すると共に、前記容器本体１が連動して前方に傾倒できるように、上記蓋部４の両側に設けられた一対の支点５と上記容器本体１に当該支点５のガイド溝８を設けたことを特徴とする郵便受け。【選択図】  図１
2007000582.tif 000002
【特許請求の範囲】
【請求項１】
郵便物を受けるための前部開口部と郵便物を取り出すための上部開口部を有する容器本体と、当該容器本体を前方に傾倒できるように軸支した支持部と、上記容器本体の上部開口部を開閉可能に前記支持部に軸支された蓋部と、当該蓋部を上方に回動すると共に、前記容器本体が連動して前方に傾倒できるように、上記蓋部の両側に設けられた一対の支点と上記容器本体に当該支点のガイド溝を設けたことを特徴とする郵便受け。
【発明の詳細な説明】
【技術分野】
【０００１】本発明は、郵便物を取るときに簡易操作で郵便物が取れる郵便受けに関する物である。
【背景技術】
【０００２】従来、郵便受けはフタが水平方向か、垂直方向にしか開かなかったため郵便物を取るためには体をかがませるか覗き込んで郵便物を取っていた。
【発明の開示】
【発明が解決しようとする課題】
【０００３】そのために次のような問題点があった。
郵便物を取るために体をかがませるか覗き込んで取るため煩わしさがあった。
本発明は以上の問題点を解決しようとするものである。
【課題を解決するための手段】
【０００４】郵便受けフタの対向する内壁に二対の支点を備え、該支点にスライド可能な溝を本体上部に備え、本体後方に本体とを連結し支点となりうるベースを設けた
前記郵便受けフタを水平状態で閉塞してあるフタの前方部を上に上げることによりフタの対向する内壁に二対の支点が本体のスライド可能な溝と、前記本体後方のベースを介して本体が手前前方に傾くことを特徴とする郵便受け
【発明の効果】
【０００５】蓋部を上方に回動することにより容器本体が連動して前方に傾倒し、その角度を垂直位置より約２５度にすることにより郵便物が容易に確認でき且つ手が入れやすくなるので、郵便物が取り出しやすい。
【発明を実施するための最良の形態】
【０００６】以下、本発明の実施の形態を説明する。
（イ）水平方向より郵便物（１３）を受けるための前部開口部（１２）と垂直方向より郵便物（１３）を取り出すための上部開口部（１１）を有する容器本体（１）を設ける。
（ロ）当該容器本体（１）を前方に傾倒できるように底部に設けられた支点（２）を軸支した支持部（３）を容器本体（１）の後方に設ける。
（ハ）上記容器本体（１）の上部開口部（１１）を開閉可能に前記支持部（３）の上部の支点（５）に軸支された蓋（４）を設ける。
（ニ）当該蓋（４）を上方に回動するとともに、前記容器本体（１）が連動して前方に傾倒できるように上記蓋（４）の両側に設けられた一対の支点（９）を構成するガイド片（１０）と上記容器本体（１）に当該支点（９）のガイド溝（８）を容器本体（１）の両側壁に設ける。
（ホ）上記ガイド片（１０）の前方内側に支点（７）を設け、下方より開閉可能に軸支されたスカート（６）を設ける。
本発明は以上のような構成よりなっている
本発明を使用するときは、水平閉塞状態より、蓋（４）を手前中央より上方に上げ、蓋（４）を上げることにより蓋本体連結支点（９）がガイド溝（８）を介し、容器本体（１）が手前に傾き、郵便物（１３）が体の体勢を変えることなく取り出すことが出来る。
さらに、容器本体（１）を前方から後方にもとの状態に戻すように押すと、使用前の状態にもどる。
【図面の簡単な説明】
【０００７】
【図１】本発明の使用状態を示す斜視図
【図２】本発明の断面図
【図３】本発明の断面図
【符号の説明】
【０００８】  １  容器本体
２  支点
３  支持部
４  蓋
５  支点
６  スカート
７  支点
８  ガイド溝
９  支点
１０  ガイド片
１１  上部開口部
１２  前部開口部
１３  郵便物
【図１】
2007000582.tif 000003
【図２】
2007000582.tif 000004
【図３】
2007000582.tif 000005
(57)【要約】【課題】 第１にお尻への水の跳ね返りを防止、第２に便器に付着する汚れを防止する。【解決手段】 第１に、何枚かの複数の紙を敷き、それぞれの落下方向を変えることにより摩擦を発生しやすくして落下速度を遅くし尚且つ、着水時の跳ね返りをそれぞれの紙で防止できる。第２に、それぞれの紙が広がることにより便器内を覆うことが出来汚れの付着を防止できる。【選択図】  図１
2007000274.tif 000002
【特許請求の範囲】
【請求項１】
紙を複数枚重ねる事により、それぞれの紙の摩擦により大便の落下速度を妨げ水しぶきがかかりにくくする汚れ防止シート 
【請求項２】
複数枚の紙がそれぞれに広がり、大便をしても大便器内側に沿って下に落ち、汚れにくいように保護をしてくれるシート
【請求項３】
小便をした場合紙がぬれてしまうのを防止するために一番上の紙に対し防水加工を施した保護シート
【請求項４】
紙が大便をキャッチしたあと、スムースに下向きに離れるのを助けるため、幾重にも切り目を入れてあるのが特徴
【発明の詳細な説明】
【技術分野】
【０００１】
本発明は、３層に重なった紙でできており、大便とともに紙が着水して汚れるのを防いでくれる商品
【背景技術】
【０００２】
便座シートの真中空いている部分をうまく利用して、汚れ防止にできないかと考案
【０００３】
大便をすると水洗トイレでは、着水のタイミングにも寄るが、大抵の場合便器の水がお尻に帰ってきてしまい気まずい思いをしてしまう
【０００４】
ゆるい症状のときなどは、便器いっぱいに飛び散って汚れの原因になりかねない
【０００５】
この様に汚れる要素がいっぱいの中で、紙で覆うことにより汚れを防止してくれるものであります
【発明の開示】
【発明が解決しようとする課題】
【０００６】
従来の便器汚れ防止には、次のような問題があった。
【０００７】
便座シート（紙製）もしくは別に何かのシートなり防止具を施さなければならなかった。
【０００８】
紙製の便座シートを例に取ると、誰が座ったかわからない便座の汚れは防止するが、真中部分のスペースになる部分の紙はカットされるか便器の中に不要にたれるだけになってしまう。
【０００９】
この場合、紙がたれた部分に対しての汚れは防止することができるが、その他の部分に対しては汚れてしまう。（他の汚れ防止でないので仕方ない）
【００１０】
トイレットペーパでの代用もできるが、急を要する場合など非常に正確に施すのは困難になってしまう。
【００１１】
水洗トイレの水撥ねの問題は貯水部分にトイレットペーパを敷いて置くのもひとつだが、水に解けやすい紙の性質上あまり効果を発揮しないで水がお尻に帰ってきてしまう
【００１２】
また、水洗トイレの場合使い捨ての紙という観点上、この水に溶けやすい紙以外を使用する以外は考えにくい点が上げられる。
【課題を解決するための手段】
【００１３】
便座シートはこの部分はつかえるとして、これをうまく利用するために全体に対して紙で覆うように配置するのを特徴とした汚れ防止シート
【００１４】
シート中ほどの紙が、大便の重みとともに着水することにより跳ね返り水がお尻にかかりにくい状態を作る汚れ防止シート
【００１５】
このシートがスムースに着水できるように、３枚の紙それぞれに違う位置に切れ込みを入れてバランスよく着水を促す工夫がされた特徴をもつ。
【００１６】
３枚重ねることによりそれぞれの紙表面の摩擦により、急激に落下するを防ぐ特徴をもつことにより減速しての着水を促すことにより跳ね返る水を減らすことができるのを特徴とする
【００１７】
水面より上に紙を敷くのは、水濡れにより紙の強度が劣るのを防ぐ意味があるのを特徴とする。またまれに大便の前に小便をもようすときのために、前記の強度補強と維持のために水濡れ防止剤を一番上の紙の表面に施すを特徴とする
【発明の効果】
【００１８】
従来のお尻の下の敷物としても使え尚且つ、お尻や便器内側の汚れ防止に役立つもの。
【００１９】
水にさらされずに紙の持つ特徴を十分に発揮でき強度も保ったまま使用することができる。
【００２０】
紙自体が宙にあるので大便の重みにより紙自体が下に下がり、お尻に大便の汚れが直接つくのを防ぐ。
【００２１】
さらに、紙を重ね合わせることにより丈夫にしかも、紙との摩擦により落下速度の減少を生じる。
【００２２】
落下しながらそれぞれの紙が、左右に広がり便器内側に直接大便の汚れが付着するのを防ぐ効果が期待できる。
【００２３】
大便が紙に包まれた状態もしくは紙との摩擦により落下速度が遅くなり撥ね返る水の障害を防ぐことができる。
【発明を実施するための最良の形態】
【００２４】
以下、本発明の実施例について図面を参照して説明する。
【実施例１】
【００２５】
図１は便座とシート各３枚の見取り図である。
【００２６】
便座に対して、それぞれの用紙を違う切れ込みを入れることにより、紙の落下位置をずらし保護面を全体にカバーするものとする。
【００２７】
図２はこの用紙を実際装着した見取り図である。
【００２８】
図４も一緒に見ていただくとよりイメージがわかりやすいところである。この図４は上からの装着イメージ図である。
【００２９】
図２の横から見た見取り図であるが、実際には真中部分（大便が乗るあたり）を装着時に少し下に落とした状態にすることにより、大便の汚れをお知りの付きにくくすることができる。
【００３０】
実際には大便の重さにより下に紙が落下して、お知りには汚物がつきにくい構造としている。
【００３１】
よって便の状態にも依るが、少し下に押し下げて使うと汚れの心配はなくてすむ。
【００３２】
それぞれの紙の落下が起こらなかった場合、汚物を乗せたままお尻のほうに汚れが付着するのを防ぐため、切込みを幾重にも入れてある。
【００３３】
図３がそれを示してるが、切り込み部分が重ならないようにある程度の強度を保つために外側と内側の切れ目をずらしてある。
【００３４】
図４ではさらに、小便をした際に上下の切れ込みを一番上の紙に施すことにより、排水を促している。
【図面の簡単な説明】
【００３５】
【図１】本発明に係る便座に対しての各用紙のイメージ図。
【図２】本発明に係る便器装着時のイメージ図。
【図３】本発明に係る各用紙に施されている切れ込み見取り図。
【図４】本発明に係る上から見た装着図と排水用切れ込み位置設置図。
【図１】
2007000274.tif 000003
【図２】
2007000274.tif 000004
【図３】
2007000274.tif 000005
【図４】
2007000274.tif 000006
(57)【要約】【課題】  そら豆を油揚げした商品は、食べた時にサクサクする食感があり、この食感が好まれていた。しかし油が付いている為、油脂の酸化により、商品の劣化が早いという欠陥があった。  【解決手段】  そら豆を水に長時間浸漬して膨張させ、種皮の中央部分を帯状に残して、両側の頭と尻の部分を取り除き、これを熱風が流動する中に置いて焙煎加工した。こうするとそら豆は急速に乾燥するので、実の中の空洞がそのまま残り、食べた時にサクサクする食感がある。しかも油揚げしないので油脂が少なく、油脂の酸化による商品の劣化が遅くなった。【選択図】  図１
2007000062.tif 000002
【特許請求の範囲】
【請求項１】
そら豆を水に長時間浸漬して膨張させ、これを取出して、種皮の中央部分を帯状に残し、両側の頭と尻の部分を取り除き、これを熱風が流動する中に置いて焙煎加工した事を特徴とする、そら豆の加工品。
【発明の詳細な説明】
【技術分野】
【０００１】
そら豆の加工品としては、そら豆を油揚げしたり、焙煎した商品がある。本発明はこのような、そら豆の加工品に関するものである。
【背景技術】
【０００２】
従来 そら豆の加工品としては、そら豆を油揚げした加工品と、焙煎した加工品がある。そこで先ず油揚げしたそら豆について説明する。最初にそら豆を水に長時間浸漬して膨張させる。これを取出して種皮の尻の部分に切り口を付ける。これを油揚げして乾燥すると、実の中に出来た空洞に溜まった水分が、油脂に置き換わる。この空洞ある為、食べた時にサクサクする食感があり、この食感が好まれている。
【０００３】
次に焙煎したそら豆について説明すると、そら豆をそのまま高温で焙煎するので、種皮がはじけた状態で仕上がる。この場合はそら豆の実の中のに空洞が少ないので、食べた時にサクサクする食感が少ない。
【０００４】
そら豆の加工品に関して、本発明に関する発明は、無いものと思われる。
【特許文献１】特開平５―  3755号公報
【特許文献２】特開平５―192083号公報
【発明の開示】
【発明が解決しようとする課題】
【０００５】
そこでサクサクする食感が好まれる、油揚げしたそら豆を取り上げる。
油揚げしたそら豆は、サクサクする食感が好まれる長所があるが、実の中の空洞に溜まった油脂の酸化により、商品の劣化が早いという欠陥があった。
そこで本発明は、サクサクする食感があり、しかも商品の劣化が遅い そら豆の加工品を目指す事にした。
【課題を解決するための手段】
【０００６】
この為に油揚げする代わりに、熱風を流動させて焙煎加工する事にした。その方法は、先ずそら豆を水に長時間浸漬して膨張させる。次にこれを取出して、図１に示す如く、種皮の中央部分を帯状に残して、両側の頭と尻の部分を取り除いた。そしてこれを熱風が流動する中に置いて焙煎加工した。
【０００７】
種皮の中央部分を残して、両端を取り除いて焙煎すると、そら豆の水分が急速に抜ける。この為、実の中に出来た空洞に溜まった水分が急速に抜け、空洞はそのまま残る。この為に食べた時 サクサクする食感がある。
しかも油を使わないので油脂が少なく、油脂の酸化による商品の劣化が遅くなった。
【０００８】
ここで油揚げしたそら豆と、油を使わないノンオイルそら豆と、含有する脂質の量がどれだけ違うかを見てみる。下記の成分表によると、油揚げしたそら豆が20.8ｇ／100ｇであるのに対し、ノンオイルそら豆は3.0ｇ／100ｇであるので、大きく違う事が分かる。
【０００９】
【表１】
2007000062.tif 000003
【発明の効果】
【００１０】
従来 そら豆は油揚げしないと、サクサクする食感が得られないとされてきた。
それを本発明は、先ずそら豆を水に長時間浸漬して膨張させ、これを取出して、種皮の中央部分を帯状に残して、両側の頭と尻の部分を取り除き、これを熱風が流動する中に置いて焙煎加工した。このようにして油を使わないノンオイルそら豆に加工した事により、サクサクする食感をそのまま残して、賞味期間が以前より永い加工品が出来た。
【発明を実施するための最良の形態】
【００１１】
そこで油を使わないで加工した ノンオイルそら豆について、実施例により説明する。
【実施例１】
【００１２】
そら豆を水道水(18℃〜19℃)に３日間(72時間)浸漬し、これを取出して種皮の中央部分を幅５ｍｍ程の帯状に残して、両側の頭と尻の部分を取り除く。再びこれを塩水に４時間浸漬して取出し、塩水を取り除く。これを170℃の熱風が流動する中に、20分間置いて焙煎加工する。
これを冷却後包装すれば、ノンオイルそら豆の加工品が完成する。
【００１３】
ここで、更に熱風が流動する中に、遠赤外線を追加すると、一層焙煎の効果が上がる。
【産業上の利用可能性】
【００１４】
そら豆の加工品は、油揚げが主なものであったが、ノンオイルそら豆が実現した事により、ノンオイルそら豆の販売が拡大する可能性がある。
【図面の簡単な説明】
【００１５】
【図１】そら豆の、種皮の中央部分を帯状に残し、両側の頭と尻の部分を            取り除いた時の状態図。
【符号の説明】
【００１６】
１  実
２  種皮
【図１】
2007000062.tif 000004